(57)【要約】【課題】本発明では、ＧＭ管内のガスの均一性が良好に保たれるガイガーミュラー計数管及び放射線計測計を提供する【解決手段】ガイガーミュラー計数管（１０）は、密封された空間（１４）を有する筒形の封入管（１１）と、空間内に配置されて棒状に形成される陽極電極（１３ａ）及び陽極電極（１２ａ）につながる線状の第１金属リード部（１２ｂ）を含み、第１金属リード部が封入管の端部で支持された陽極導体（１２）と、空間内で陽極電極の周りを取り囲む筒状の陰極電極（１３ａ）と、空間内に密封される不活性ガス及びクエンチガスと、を備え、陰極電極の側面の一部には陰極電極の側面を貫通する貫通孔（８５２）が形成される。【選択図】図１
2015194453.tif 000002
【特許請求の範囲】
【請求項１】
密封された空間を有する筒形の封入管と、
前記空間内に配置されて棒状に形成される陽極電極及び前記陽極電極につながる線状の第１金属リード部を含み、前記第１金属リード部が前記封入管の端部で支持された陽極導体と、
前記空間内で前記陽極電極の周りを取り囲む筒状の陰極電極と、
前記空間内に密封される不活性ガス及びクエンチガスと、を備え、
前記陰極電極の側面の一部には前記陰極電極の側面を貫通する貫通孔が形成されるガイガーミュラー計数管。
【請求項２】
前記陰極電極は、矩形の金属シートが前記金属シートの一対の辺が対向して離間するように筒状に形成され、
前記貫通孔は、前記一対の辺が対向して離間することにより形成されるスリットである請求項１に記載のガイガーミュラー計数管。
【請求項３】
前記陰極電極は、前記貫通孔が形成された金属シートが筒状に形成される請求項１に記載のガイガーミュラー計数管。
【請求項４】
前記陰極電極は、互いに向かい合って配置される一対の金属枠と、前記一対の金属枠を繋ぐように配置される複数の金属棒と、により形成され、
前記複数の金属棒同士の間が前記貫通孔となる請求項１に記載のガイガーミュラー計数管。
【請求項５】
前記陰極電極は、複数の金属線材が網状に編み込まれた金網が筒状に丸められることにより形成され、
前記金網の網目が前記貫通孔となる請求項１に記載のガイガーミュラー計数管。
【請求項６】
請求項１から請求項５のいずれか一項に記載のガイガーミュラー計数管と、
前記第１金属リード部と前記第２金属リード部との間に所定の高電圧を印加する１つの高電圧回路部と、
前記高電圧回路部に接続され、前記ガイガーミュラー計数管で計測されたパルス信号をカウントするカウンターと、
前記カウンターでカウントされた前記パルス信号を放射線量に換算する算出部と、を備える放射線計測計。
【発明の詳細な説明】
【技術分野】
【０００１】
本発明は、筒状の陰極電極を有する放射線検出部を有するガイガーミュラー計数管及び放射線計測計に関する。
【背景技術】
【０００２】
ガイガーミュラー計数管（ＧＭ管）は、主に放射線計測計に用いられる部品である。ＧＭ管には陽極電極及び陰極電極が形成され、ＧＭ管の中には不活性ガスが封入される。また、ＧＭ管は、陽極電極及び陰極電極の間に高い電圧がかけられることにより使用される。ＧＭ管の中に侵入した放射線は不活性ガスを電子とイオンとに電離され、電離した電子及びイオンはそれぞれ陽極電極及び陰極電極に向かって加速される。これにより陽極電極と陰極電極との間が通電され、パルス信号が発生する。例えば、特許文献１には一対の陽極電極及び陰極電極が形成されたガイガーミュラー計数管が開示されている。
【先行技術文献】
【特許文献】
【０００３】
【特許文献１】特開２０１４−７０８６号公報
【発明の概要】
【発明が解決しようとする課題】
【０００４】
しかし、特許文献１では、ＧＭ管内のガスの均一性が悪くなる場合があった。また、これに起因して、ＧＭ管の感度が不安定になる場合があった。
【０００５】
本発明では、ＧＭ管内のガスの均一性が良好に保たれるガイガーミュラー計数管及び放射線計測計を提供することを目的とする。
【課題を解決するための手段】
【０００６】
第１観点のガイガーミュラー計数管は、密封された空間を有する筒形の封入管と、空間内に配置されて棒状に形成される陽極電極及び陽極電極につながる線状の第１金属リード部を含み、第１金属リード部が封入管の端部で支持された陽極導体と、空間内で陽極電極の周りを取り囲む筒状の陰極電極と、空間内に密封される不活性ガス及びクエンチガスと、を備え、陰極電極の側面の一部には陰極電極の側面を貫通する貫通孔が形成される。
【０００７】
第２観点のガイガーミュラー計数管は、第１観点において、陰極電極が矩形の金属シートが金属シートの一対の辺が対向して離間するように筒状に形成され、貫通孔が一対の辺が対向して離間することにより形成されるスリットである。
【０００８】
第３観点のガイガーミュラー計数管は、第１観点において、陰極電極が、貫通孔が形成された金属シートが筒状に形成される。
【０００９】
第４観点のガイガーミュラー計数管は、第１観点において、陰極電極が、互いに向かい合って配置される一対の金属枠と、一対の金属枠を繋ぐように配置される複数の金属棒と、により形成され、複数の金属棒同士の間が貫通孔となる。
【００１０】
第５観点のガイガーミュラー計数管は、第１観点において、陰極電極が、複数の金属線材が網状に編み込まれた金網が筒状に丸められることにより形成され、金網の網目が貫通孔となる。
【００１１】
第６観点の放射線計測計は、第１観点から第５観点のガイガーミュラー計数管と、第１金属リード部と第２金属リード部との間に所定の高電圧を印加する１つの高電圧回路部と、高電圧回路部に接続され、ガイガーミュラー計数管で計測されたパルス信号をカウントするカウンターと、カウンターでカウントされたパルス信号を放射線量に換算する算出部と、を備える。
【発明の効果】
【００１２】
本発明のガイガーミュラー計数管及び放射線計測計によれば、ＧＭ管内のガスの均一性を良好に保つことができる。
【図面の簡単な説明】
【００１３】
【図１】（ａ）は、ガイガーミュラー計数管１０の断面図である。  （ｂ）は、ガイガーミュラー計数管１０の概略斜視図である。  （ｃ）は、図１（ａ）及び図１（ｂ）のＡ−Ａ断面図である。
【図２】放射線計測計２０の概略構成図である。
【図３】（ａ）は、ガイガーミュラー計数管３０の概略斜視図である。  （ｂ）は、図３（ａ）のＢ−Ｂ断面図である。
【図４】（ａ）は、ガイガーミュラー計数管４０の概略斜視図である。  （ｂ）は、図４（ａ）のＣ−Ｃ断面図である。
【図５】（ａ）は、ガイガーミュラー計数管５０の概略斜視図である。  （ｂ）は、図５（ａ）のＤ−Ｄ断面図である。
【図６】（ａ）は、ガイガーミュラー計数管６０の概略斜視図である。  （ｂ）は、図６（ａ）のＥ−Ｅ断面図である。
【図７】（ａ）は、ガイガーミュラー計数管１１０の断面図である。  （ｂ）は、図７（ａ）のＦ−Ｆ断面図である。  （ｃ）は、基板に取り付けられたガイガーミュラー計数管１１０の概略側面図である。
【図８】放射線計測計１００の概略構成図である。
【図９】（ａ）は、ガイガーミュラー計数管２１０の概略構成図である。  （ｂ）は、放射線計測計２００の概略構成図である。
【図１０】（ａ）は、ガイガーミュラー計数管３１０の断面図である。  （ｂ）は、ガイガーミュラー計数管３１０ａの概略断面図である。
【図１１】（ａ）は、ガイガーミュラー計数管４１０の断面図である。  （ｂ）は、ガイガーミュラー計数管４１０ａの概略断面図である。
【図１２】放射線計測計５００の概略構成図である。
【図１３】放射線計測計の放電回数を比較したグラフである。
【図１４】放射線計測計６００の概略構成図である。
【図１５】放射線計測計７００の概略構成図である。
【発明を実施するための形態】
【００１４】
以下、本発明の実施の形態を図面に基づいて詳細に説明する。なお、本発明の範囲は以下の説明において特に本発明を限定する旨の記載がない限り、これらの形態に限られるものではない。
【００１５】
（第１実施形態）
＜ガイガーミュラー計数管１０の構成＞
図１（ａ）は、ガイガーミュラー計数管１０の断面図である。ガイガーミュラー計数管１０は、封入管１１と、陽極導体１２と、陰極導体１３と、により形成されている。以下の説明では、封入管１１が伸びる方向をＺ軸方向、封入管１１の直径方向でありＺ軸方向に垂直な方向をＸ軸方向、同じく封入管１１の直径方向でありＸ軸方向及びＺ軸方向に垂直な方向をＹ軸方向とする。
【００１６】
封入管１１は、例えばガラスにより筒形に形成される。封入管１１の＋Ｚ軸側及び−Ｚ軸側の両端は封止されており、封入管１１の内部の空間１４は密封されている。封入管１１の−Ｚ軸側の端では、陽極導体１２及び陰極導体１３が貫通している。
【００１７】
陽極導体１２は、棒状であり空間１４に配置される陽極電極１２ａと、陽極電極１２ａに接続され封入管１１の端部で支持される線状の第１金属リード部１２ｂと、により構成されている。第１金属リード部１２ｂは封入管１１の−Ｚ軸側の端部で支持されており、陽極電極１２ａは−Ｚ軸側の端が第１金属リード部１２ｂに接続されている。また、ガイガーミュラー計数管１０では、陽極電極１２ａがＺ軸方向に伸びる一直線１５０上に配置されている。
【００１８】
陰極導体１３は、空間１４で陽極電極１２ａの周りを取り囲む円筒形の陰極電極１３ａと、陰極電極１３ａに接続され封入管１１の端部で支持される線状の第２金属リード部１３ｂと、により構成されている。第２金属リード部１３ｂは封入管１１の−Ｚ軸側の端部で支持されており、陰極電極１３ａは−Ｚ軸側の端が第２金属リード部１３ｂに接続されている。
【００１９】
陽極電極１２ａ及び陽極電極１２ａを取り囲む陰極電極１３ｂにより、放射線を検出する放射線検出部１５が形成される。放射線検出部１５は、放射線を検出する空間である空間１５ａを有している。空間１５ａは、陰極電極１３ａに囲まれる空間であり、空間内のＸＹ平面内に陽極電極１２ａと陰極電極１３ａとの両方を含む領域である。
【００２０】
図１（ｂ）は、ガイガーミュラー計数管１０の概略斜視図である。陰極電極１３ａは、例えば鉄、ニッケル、コバルトの合金である金属コバール又はステンレスの矩形形状の金属のシートが円筒状に丸められることにより形成される。また、陰極電極１３ａは、金属のシートの両端辺が互いに重ならないように離間されて丸められることにより、側面にＺ軸方向に伸びるスリット８５２が形成される。
【００２１】
図１（ｃ）は、図１（ａ）及び図１（ｂ）のＡ−Ａ断面図である。陽極電極１２ａは陰極電極１３ａの中心軸上に配置されている。すなわち、陰極電極１３ａの中心軸は一直線１５０（図１（ａ）参照）上に配置される。これにより、陰極電極１３ａと陽極電極１２ａとの間に電圧がかかった場合には、ＸＹ平面内において、陰極電極１３ａに囲まれる空間１５ａの電場が陽極電極１２ａを中心とした回転対称に形成される。また、空間１５ａを含む空間１４には不活性ガス及びクエンチガスが封入される。不活性ガスには、例えばヘリウム（Ｈｅ）、ネオン（Ｎｅ）、又はアルゴン（Ａｒ）などの希ガスが用いられる。また、クエンチガスには、例えば、フッ素（Ｆ）、臭素（Ｂｒ）又は塩素（Ｃｌ）等のハロゲン系のガスが用いられる。
【００２２】
ガイガーミュラー計数管１０では、封入管１１を介して空間１５ａに放射線が侵入すると、放射線は不活性ガスを正に帯電したイオンと負に帯電した電子とに電離させる。また、陽極電極１２ａと陰極電極１３ａとの間に例えば４００から６００Ｖの電圧がかけられることにより空間１５ａに電場が形成される。そのため、電離したイオン及び電子は、それぞれ陰極電極１３ａ及び陽極電極１２ａに向かって加速する。加速されたイオンは、他の不活性ガスに衝突して他の不活性ガスを電離させる。このような電離の繰り返しにより、空間１５には雪崩状に電離したイオン及び電子が形成されパルス電流が流れる。ガイガーミュラー計数管１０を有する放射線計測計２０（図２参照）は、このようなパルス電流によるパルス信号のパルスの回数を計測することにより放射線量を測定することができる。また、このような電流が連続的に流れるとパルスの回数を計測できなくなるが、これを防ぐためにクエンチガスが不活性ガスと共に空間１４に封入されている。クエンチガスはイオンが有するエネルギーを失わせる働きをする。
【００２３】
陰極電極にスリットが形成されていない従来のガイガーミュラー計数管では、ガイガーミュラー計数管を真空に引いた場合の真空度が悪く、製品の品質にばらつきが出る場合があった。また、封入管を真空に引いた後に不活性ガス及びクエンチガスをガイガーミュラー計数管内に注入する場合に時間がかかっていた。
【００２４】
陰極電極１３ａにスリット８５２が形成されるガイガーミュラー計数管１０では、スリット８５２が陰極電極１３ａの側面に形成される貫通孔として働き、空間１５ａの内外のガスの通気が良くされており、従来のガイガーミュラー計数管に比べて、封入管１１１内をより高真空に引くことができ、ガスの注入にかかる時間を短縮することができる。そのため、ガイガーミュラー計数管の品質をより安定化させることができ、製造にかかる時間を短縮することができる。
【００２５】
また、陰極電極にスリットを形成することにより、放射線の検出感度が上がる。これは、封入された封入管内ではガスの流れが起こりにくいため、放射線による不活性ガスの電離等により放射線検出部１５内の空間１５ａと空間１５ａ外の空間との間に不活性ガス等の濃度差が生じ易いと考えられるが、ガイガーミュラー計数管１０では陰極電極１３ａにスリット８５２が形成されることによりこの濃度差が緩和されるためであると考えられる。
【００２６】
＜放射線計測計２０の構成＞
図２は、放射線計測計２０の概略構成図である。放射線計測計２０は、ガイガーミュラー計数管１０を含んで構成されている。陽極導体１２及び陰極導体１３は、高電圧回路部２１に接続されており、両導体間には高電圧がかけられる。高電圧回路部２１はカウンター２２に接続されている。ガイガーミュラー計数管１０の放射線検出部１５で検出されたパルス信号は、カウンター２２でカウントされ、算出部２３で放射線量に換算され、換算された放射線量が表示部２４に表示される。算出部２３には電源２５が接続されることにより電力が供給される。
【００２７】
（第２実施形態）
ガイガーミュラー計数管１０では、筒状に形成される陰極電極１３ａの側面にスリット８５２が形成されることにより、陰極電極１３ａにより囲まれる空間１５ａの内外のガスの移動が容易にされているが、陰極電極の側面にはスリットとは異なる貫通孔が形成されても良い。また、陰極電極１３ａは円筒状に形成されたが、陰極電極はその他の形状に形成されても良い。以下にこのようなガイガーミュラー計数管の変形例を示す。また、以下の説明では、ガイガーミュラー計数管１０と同じ部分に関してはガイガーミュラー計数管１０と同じ符号を付してその説明を省略する。
【００２８】
＜ガイガーミュラー計数管３０の構成＞
図３（ａ）は、ガイガーミュラー計数管３０の概略斜視図である。ガイガーミュラー計数管３０は、封入管１１と、陽極導体１２と、陰極導体３３と、により形成されている。また、陰極導体３３は、空間１４で陽極電極１２ａの周りを取り囲む筒形の陰極電極３３ａと、陰極電極３３ａに接続され封入管１１の端部で支持される線状の第２金属リード部１３ｂと、により構成されている。すなわち、ガイガーミュラー計数管３０は、ガイガーミュラー計数管１０の陰極電極１３ａが陰極電極３３ａに置き換えられることにより形成されている。
【００２９】
陰極電極３３ａは円筒状の外形を有している。また、ガイガーミュラー計数管３０では、陽極電極１２ａと陰極電極３３ａとにより放射線を検出する放射線検出部３５が形成されており、放射線検出部３５は放射線を検出する空間である空間３５ａを有している。空間３５ａは、陰極電極３３ａに囲まれる空間であり、空間内のＸＹ平面内に陽極電極１２ａと陰極電極１３ａとの両方を含む領域である。
【００３０】
陰極電極３３ａの側面には陰極電極３３ａの側面を貫通する複数の貫通孔８５３が形成されている。複数の貫通孔８５３は、陰極電極３３ａの側面に規則的に形成されていても良いし、不規則に形成されていても良い。図３（ａ）では、複数の貫通孔８５３が不規則に形成されている状態が示されている。また、各貫通孔８５３の形状は、図３（ａ）では円形に形成されているが、円形に限らず楕円、多角形等の様々な形状に形成されてもよい。陰極電極３３ａは、陰極電極１３ａと同様に、例えば鉄、ニッケル、コバルトの合金である金属コバール又はステンレスにより形成され、複数の貫通孔８５３が形成された矩形形状の金属のシートを円筒状に丸めることにより形成することができる。
【００３１】
図３（ｂ）は、図３（ａ）のＢ−Ｂ断面図である。陽極電極１２ａは陰極電極３３ａの中心軸上に配置されている。これにより、陰極電極３３ａと陽極電極１２ａとの間に電圧がかかった場合には、ＸＹ平面内において、陰極電極３３ａに囲まれる空間３５ａの電場が陽極電極１２ａを中心とした回転対称に形成される。また、空間３５ａを含む空間１４には不活性ガス及びクエンチガスが封入される。ガイガーミュラー計数管３０では、複数の貫通孔８５３が形成されていることにより、不活性ガス及びクエンチガスが空間３５ａの内外を自由に流れ易くなるため、空間３５ａの内外の不活性ガス及びクエンチガスの濃度差を緩和することができる。
【００３２】
＜ガイガーミュラー計数管４０の構成＞
図４（ａ）は、ガイガーミュラー計数管４０の概略斜視図である。ガイガーミュラー計数管４０は、封入管１１と、陽極導体１２と、陰極導体４３と、により形成されている。また、陰極導体４３は、空間１４で陽極電極１２ａの周りを取り囲む筒形の陰極電極４３ａと、陰極電極４３ａに接続され封入管１１の端部で支持される線状の第２金属リード部１３ｂと、により構成されている。すなわち、ガイガーミュラー計数管４０は、ガイガーミュラー計数管１０の陰極電極１３ａが陰極電極４３ａに置き換えられることにより形成されている。
【００３３】
陰極電極４３ａは円筒状の外形を有している。また、ガイガーミュラー計数管４０では、陽極電極１２ａと陰極電極４３ａとにより放射線を検出する放射線検出部４５が形成されており、放射線検出部４５は放射線を検出する空間である空間４５ａを有している。空間４５ａは、陰極電極４３ａに囲まれる空間であり、空間内のＸＹ平面内に陽極電極１２ａと陰極電極４３ａとの両方を含む領域である。
【００３４】
陰極電極４３ａは、Ｚ軸方向に互いに向かい合って配置される一対の金属枠４３ｂと、一対の金属枠４３ｂを繋ぐように配置される複数の金属棒４３ｃと、により形成されている。陰極電極４３ａは、各金属枠４３ｂがリング状に形成されており、８本の金属棒４３ｃが各金属枠４３ｂの周囲に等間隔に配置されることにより形成されている。なお、図４（ａ）では８本の金属棒４３ｃが形成される例が示されているが、金属棒４３ｃの本数は８本に限定されるものではなく、８本より多くても少なくても良い。陰極電極１３ａ（図１（ｂ）参照）ではスリット８５２が陰極電極１３ａの側面を貫通する貫通孔となり、陰極電極３３ａ（図３（ａ）参照）では複数の貫通孔８５３が陰極電極３３ａの側面を貫通する貫通孔となっているが、陰極電極４３ａでは各金属棒４３ｃの間が陰極電極４３ａの側面を貫通する貫通孔８５４となっている。
【００３５】
図４（ｂ）は、図４（ａ）のＣ−Ｃ断面図である。陽極電極１２ａは陰極電極４３ａの中心軸上に配置されている。これにより、陰極電極４３ａと陽極電極１２ａとの間に電圧がかかった場合には、ＸＹ平面内において、陰極電極４３ａに囲まれる空間４５ａの電場が陽極電極１２ａを中心とした回転対称に形成される。また、空間４５ａを含む空間１４には不活性ガス及びクエンチガスが封入される。ガイガーミュラー計数管４０では、複数の貫通孔８５４が形成されていることにより、不活性ガス及びクエンチガスが空間４５ａの内外を自由に流れ易くなるため、空間４５ａの内外の不活性ガス及びクエンチガスの濃度差を緩和することができる。
【００３６】
＜ガイガーミュラー計数管５０の構成＞
図５（ａ）は、ガイガーミュラー計数管５０の概略斜視図である。ガイガーミュラー計数管５０は、封入管１１と、陽極導体１２と、陰極導体５３と、により形成されている。また、陰極導体５３は、空間１４で陽極電極１２ａの周りを取り囲む筒形の陰極電極５３ａと、陰極電極５３ａに接続され封入管１１の端部で支持される線状の第２金属リード部１３ｂと、により構成されている。すなわち、ガイガーミュラー計数管５０は、ガイガーミュラー計数管１０の陰極電極１３ａが陰極電極５３ａに置き換えられることにより形成されている。
【００３７】
陰極電極５３ａは円筒状の外形を有している。また、ガイガーミュラー計数管５０では、陽極電極１２ａと陰極電極５３ａとにより放射線を検出する放射線検出部５５が形成されており、放射線検出部５５は放射線を検出する空間である空間５５ａを有している。空間５５ａは、陰極電極５３ａに囲まれる空間であり、空間内のＸＹ平面内に陽極電極１２ａと陰極電極５３ａとの両方を含む領域である。
【００３８】
陰極電極５３ａは、矩形形状の外形を有する金属の網が円筒状に丸められることにより形成されている。網は例えば鉄、ニッケル、コバルトの合金である金属コバール又はステンレス等により形成された金属線が格子状に結び付けて編み込まれることにより形成されており、網の金属線と金属線との間（網目）が陰極電極５３ａを貫通する貫通孔８５５となっている。
【００３９】
図５（ｂ）は、図５（ａ）のＤ−Ｄ断面図である。陽極電極１２ａは陰極電極５３ａの中心軸上に配置されている。これにより、陰極電極５３ａと陽極電極１２ａとの間に電圧がかかった場合には、ＸＹ平面内において、陰極電極５３ａに囲まれる空間５５ａの電場が陽極電極１２ａを中心とした回転対称に形成される。また、空間５５ａを含む空間１４には不活性ガス及びクエンチガスが封入される。ガイガーミュラー計数管５０では、陰極電極５３ａに複数の貫通孔８５５が形成されていることにより、不活性ガス及びクエンチガスが空間５５ａの内外を自由に流れ易くなるため、空間５５ａの内外の不活性ガス及びクエンチガスの濃度差を緩和することができる。
【００４０】
＜ガイガーミュラー計数管６０の構成＞
図６（ａ）は、ガイガーミュラー計数管６０の概略斜視図である。ガイガーミュラー計数管６０は、封入管１１と、陽極導体１２と、陰極導体６３と、により形成されている。また、陰極導体６３は、空間１４で陽極電極１２ａの周りを取り囲む筒形の陰極電極６３ａと、陰極電極６３ａに接続され封入管１１の端部で支持される線状の第２金属リード部１３ｂと、により構成されている。すなわち、ガイガーミュラー計数管６０は、ガイガーミュラー計数管１０の陰極電極１３ａが陰極電極６３ａに置き換えられることにより形成されている。
【００４１】
陰極電極６３ａは角筒状の外形を有している。また、ガイガーミュラー計数管６０では、陽極電極１２ａと陰極電極６３ａとにより放射線を検出する放射線検出部６５が形成されており、放射線検出部６５は放射線を検出する空間である空間６５ａを有している。空間６５ａは、陰極電極６３ａに囲まれる空間であり、空間内のＸＹ平面内に陽極電極１２ａと陰極電極６３ａとの両方を含む領域である。
【００４２】
陰極電極６３ａは、矩形形状の外形を有する金属の網が角筒状に丸められることにより形成されている。網は例えば鉄、ニッケル、コバルトの合金である金属コバール又はステンレス等により形成された金属線が格子状に結び付けて編み込まれることにより形成されており、網の金属線と金属線との隙間が陰極電極６３ａを貫通する貫通孔８５６となっている。
【００４３】
図６（ｂ）は、図６（ａ）のＥ−Ｅ断面図である。陽極電極１２ａは陰極電極６３ａの中心軸上に配置されている。これにより、陰極電極６３ａと陽極電極１２ａとの間に電圧がかかった場合には、ＸＹ平面内において、陰極電極６３ａに囲まれる空間６５ａの電場が陽極電極１２ａを中心として４回対称となるように形成される。また、空間６５ａを含む空間１４には不活性ガス及びクエンチガスが封入される。ガイガーミュラー計数管６０では、陰極電極６３ａに複数の貫通孔８５６が形成されていることにより、不活性ガス及びクエンチガスが空間６５ａの内外を自由に流れ易くなるため、空間６５ａの内外の不活性ガス及びクエンチガスの濃度差を緩和することができる。
【００４４】
陰極電極６３ａは、角筒状に形成されたが、楕円筒状、多角筒状等、様々な形状に形成されても良い。また、陰極電極１３ａ、３３ａ、４３ａが、角筒状、楕円筒状、多角筒状等、様々な形状に形成されても良い。
【００４５】
（第３実施形態）
封入管内には、複数の陰極電極又は陽極電極が形成されていても良い。以下に封入管内に複数の陰極電極又は陽極電極が形成された例を説明する。また、以降に説明する陰極電極では図１（ｂ）に示されるようなスリット８５２が形成されるとして説明されるが、陰極電極３３ａ（図３（ａ）参照）、陰極電極４３ａ（図４（ａ）参照）、及び陰極電極５３ａ（図５（ａ）参照）に示される貫通孔が形成された陰極電極とされても良く、その外形が角筒状、楕円筒状、多角筒状等、様々な形状に形成されても良い。
【００４６】
＜ガイガーミュラー計数管１１０の構成＞
図７（ａ）は、ガイガーミュラー計数管１１０の断面図である。ガイガーミュラー計数管１１０は、封入管１１１と、陽極導体１１２と、陰極導体１１３と、により形成されている。以下の説明では、封入管１１１が伸びる方向をＺ軸方向、封入管１１１の直径方向でありＺ軸方向に垂直な方向をＸ軸方向、同じく封入管１１１の直径方向でありＸ軸方向及びＺ軸方向に垂直な方向をＹ軸方向とする。
【００４７】
封入管１１１はガラスにより筒形に形成されている。封入管１１１の＋Ｚ軸側及び−Ｚ軸側の両端は封止されており、封入管１１１の内部の空間１１４は密封されている。封入管１１１の＋Ｚ軸側及び−Ｚ軸側の両端では、陽極導体１１２及び陰極導体１１３が貫通している。
【００４８】
陽極導体１１２は、棒状であり空間１１４に配置される陽極電極１２４と、陽極電極１２４に接続され封入管１１１の端部で支持される線状の第１金属リード部１２３と、により構成されている。ガイガーミュラー計数管１１０では、陽極導体１１２が第１陽極導体１１２ａ及び第２陽極導体１１２ｂにより構成されている。第１陽極導体１１２ａは空間１１４の−Ｚ軸側に配置され、第２陽極導体１１２ｂは空間１１４の＋Ｚ軸側に配置される。また、第１陽極導体１１２ａは陽極電極１２４ａ及び第１金属リード部１２３ａにより構成され、第２陽極導体１１２ｂは陽極電極１２４ｂ及び第１金属リード部１２３ｂにより構成される。第１金属リード部１２３ａは封入管１１１の−Ｚ軸側の端部で支持され、第１金属リード部１２３ｂは封入管１１１の＋Ｚ軸側の端部で支持されている。また、ガイガーミュラー計数管１１０では、陽極電極１２４ａと陽極電極１２４ｂとがＺ軸方向に伸びる一直線１５０上に配置されている。
【００４９】
陰極導体１１３は、空間１１４で陽極電極１２４の周りを取り囲む筒形の陰極電極１２１と、陰極電極１２１に接続され封入管１１１の端部で支持される線状の第２金属リード部１２２と、により構成されている。陰極電極１２１には、例えば図１（ｂ）に示されるようなスリット８５２が形成されている。ガイガーミュラー計数管１１０では、陰極導体１１３が第１陰極導体１１３ａ及び第２陰極導体１１３ｂにより構成されている。第１陰極導体１１３ａは空間１１４の−Ｚ軸側に配置され、第２陰極導体１１３ｂは空間１１４の＋Ｚ軸側に配置される。また、第１陰極導体１１３ａは陰極電極１２１ａ及び第２金属リード部１２２ａにより構成され、第２陰極導体１１３ｂは陰極電極１２１ｂ及び第２金属リード部１２２ｂにより構成されている。第２金属リード部１２２ａは封入管１１１の−Ｚ軸側の端部で支持され、第２金属リード部１２２ｂは封入管１１１の＋Ｚ軸側の端部で支持されている。
【００５０】
陽極電極１２４及び陽極電極１２４を取り囲む陰極電極１２１により、放射線を検出する放射線検出部１２５が形成される。図７（ａ）では、陽極電極１２４ａ及び陰極電極１２１ａにより形成される放射線検出部１２５を第１放射線検出部１２５ａとし、陽極電極１２４ｂ及び陰極電極１２１ｂにより形成される放射線検出部１２５を第２放射線検出部１２５ｂとしている。ガイガーミュラー計数管１１０では、第１放射線検出部１２５ａ及び第２放射線検出部１２５ｂにおいてそれぞれ放射線が検出される。
【００５１】
放射線検出部１２５は、放射線を検出する空間である空間１１５を有している。空間１１５は、陰極電極１２１に囲まれる空間であり、空間内のＸＹ平面内に陽極電極１２４と陰極電極１２１との両方を含む領域である。図７（ａ）では、第１放射線検出部１２５ａの空間１１５を空間１１５ａとし、第２放射線検出部１２５ｂの空間１１５を空間１１５ｂとしている。
【００５２】
図７（ｂ）は、図７（ａ）のＦ−Ｆ断面図である。陰極電極１２１は、例えば鉄、ニッケル、コバルトの合金である金属コバール又はステンレスにより形成される円筒形の金属パイプにより構成され、陽極電極１２４は陰極電極１２１の中心軸上に配置されている。すなわち、陰極電極１２１の中心軸は一直線１５０上に配置される。これにより、陰極電極１２４と陽極電極１２１との間に電圧がかかった場合には、ＸＹ平面内において、陰極電極１２１に囲まれる空間１１５の電場が陽極電極１２４を中心とした回転対称に形成される。また、空間１１５を含む空間１１４には不活性ガス及びクエンチガスが封入される。不活性ガスには、例えばヘリウム（Ｈｅ）、ネオン（Ｎｅ）、又はアルゴン（Ａｒ）などの希ガスが用いられる。また、クエンチガスには、例えば、フッ素（Ｆ）、臭素（Ｂｒ）又は塩素（Ｃｌ）等のハロゲン系のガスが用いられる。
【００５３】
ガイガーミュラー計数管１１０では、封入管１１１を介して空間１１５に放射線が侵入すると、放射線は不活性ガスを正に帯電したイオンと負に帯電した電子とに電離させる。また、陽極電極１２４と陰極電極１２１との間に例えば４００から６００Ｖの電圧がかけられることにより空間１１５に電場が形成される。そのため、電離したイオン及び電子は、それぞれ陰極電極１２１及び陽極電極１２４に向かって加速する。加速されたイオンは、他の不活性ガスに衝突して他の不活性ガスを電離させる。このような電離の繰り返しにより、空間１１５には雪崩状に電離したイオン及び電子が形成されパルス電流が流れる。ガイガーミュラー計数管１１０を有する放射線計測計１００（図８参照）は、このようなパルス電流によるパルス信号のパルスの回数を計測することにより放射線量を測定することができる。また、このような電流が連続的に流れるとパルスの回数を計測できなくなるが、これを防ぐためにクエンチガスが不活性ガスと共に空間１１４に封入されている。クエンチガスはイオンが有するエネルギーを失わせる働きをする。
【００５４】
ガイガーミュラー計数管では空間１１５に侵入する放射線を計測するため、空間１１５を大きく形成することにより放射線の検出感度を上げることができる。しかし、陽極電極１２４及び陰極電極１２１を長くすることで空間１１５を大きく形成する場合には、陽極電極１２４及び陰極電極１２１の空間１１５内での固定強度が弱くなり、ガイガーミュラー計数管が衝撃に弱くなる。
【００５５】
ガイガーミュラー計数管１１０では、空間１１４に陽極電極１２４及び陰極電極１２１をそれぞれ二組形成することにより空間１１５の大きさを大きくしており、さらに各陽極電極１２４及び陰極電極１２１をガイガーミュラー計数管１１０の−Ｚ軸側又は＋Ｚ軸側に固定することにより陽極電極１２４及び陰極電極１２１の空間１１４での固定強度を上げている。そのため、ガイガーミュラー計数管１１０では耐衝撃性が向上されている。
【００５６】
図７（ｃ）は、基板１４０に取り付けられたガイガーミュラー計数管１１０の概略側面図である。ガイガーミュラー計数管１１０は基板１４０に固定されて用いられる。従来のガイガーミュラー計数管では封入管の一方の端からのみ電極が引き出されており、ガイガーミュラー計数管の一方の端のみで基板等に固定されていた。これに対して、ガイガーミュラー計数管１１０では封入管１１１の両端から電極が引き出されており、図７（ｃ）に示されるようにガイガーミュラー計数管１１０の＋Ｚ軸側及び−Ｚ軸側の両端で基板１４０に固定される。そのため、ガイガーミュラー計数管１１０では従来のガイガーミュラー計数管に比べて強固に安定して基板等に固定されることができる。
【００５７】
また、ガイガーミュラー計数管１１０では、不活性ガス及びクエンチガスを流通させず、空間１１４に封入した状態で測定を行う。そのため、空間１１４内の状態が安定し、放射線の検出感度を安定に保つことができる。
【００５８】
さらに、放射線の検出感度を上げるため等で複数のガイガーミュラー計数管を使用する場合には、個々のガイガーミュラー計数管の感度の個体差により、放射線検出の精度が低くなる場合がある。ガイガーミュラー計数管１１０では１つのガイガーミュラー計数管内に二組の放射線検出部１２５を配置するため、不活性ガス及びクエンチガスが共通して使用される。したがって、ガイガーミュラー計数管１１０内の不活性ガス及びクエンチガスの比が同一になる。そのため、ガイガーミュラー計数管１１０では、二組のガイガーミュラー計数管を使用する場合よりも放射線検出の精度を上げることができる。
【００５９】
＜放射線計測計１００の構成＞
図８は、放射線計測計１００の概略構成図である。放射線計測計１００は、ガイガーミュラー計数管１１０を含んで構成されている。陽極導体１１２ａ及び陰極導体１１３ａは、第１高電圧回路部１３０ａに接続されており、両導体間には高電圧がかけられる。また、陽極導体１１２ｂ及び陰極導体１１３ｂは、第２高電圧回路部１３０ｂに接続されており、両導体間には高電圧がかけられる。第１高電圧回路部１３０ａは第１カウンター１３１ａに接続されており、第２高電圧回路部１３０ｂは第２カウンター１３１ｂに接続されている。ガイガーミュラー計数管１１０の第１放射線検出部１２５ａ及び第２放射線検出部１２５ｂで検出されたパルス信号は、第１カウンター１３１ａ及び第２カウンター１３１ｂでカウントされ、算出部１３２で放射線量に換算され、換算された放射線量が表示部１３４に表示される。算出部１３２には電源１３３が接続されることにより電力が供給される。
【００６０】
図８では、第１放射線検出部１２５ａ及び第２放射線検出部１２５ｂがそれぞれ異なる高電圧回路部及びカウンターに接続されることにより個別に放射線量を検出している。しかし、第１放射線検出部１２５ａ及び第２放射線検出部１２５ｂは、並列に１つの高電圧回路部及びカウンターに接続されて第１放射線検出部１２５ａ及び第２放射線検出部１２５ｂの全体としての放射線量を検出してもよい。
【００６１】
（第４実施形態）
ガイガーミュラー計数管１１０で検出される放射線量はβ線及びγ線の両方の放射線量の合計値として計測される。一方、β線及びγ線の各放射線量を測定したい場合がある。以下に、β線及びγ線の各放射線量を測定するためのガイガーミュラー計数管２１０及び放射線計測計２００について説明する。また、以下の説明では、第３実施形態と同じ部分に関しては第３実施形態と同じ符号を付してその説明を省略する。
【００６２】
＜ガイガーミュラー計数管２１０の構成＞
図９（ａ）は、ガイガーミュラー計数管２１０の概略構成図である。ガイガーミュラー計数管２１０は、ガイガーミュラー計数管１１０の第１放射線検出部１２５ａに、封入管１１１の外側から取り囲むようにβ線を遮蔽する遮蔽部２１６が取り付けられることにより形成されている。遮蔽部２１６は、例えばアルミニウムの円筒管として形成されることができる。
【００６３】
ガイガーミュラー計数管２１０では、遮蔽部２１６で覆われていない第２放射線検出部１２５ｂにおいてβ線及びγ線を検出することができる。また、遮蔽部２１６で覆われている第１放射線検出部１２５ａでは、β線が遮蔽部２１６で遮蔽されるため、γ線のみを検出することができる。β線の放射線量は、第２放射線検出部１２５ｂの放射線量から第１放射線検出部１２５ａの放射線量を差し引くことにより求めることができる。
【００６４】
従来、γ線とβ線とを同時に測定する場合には、ガイガーミュラー計数管を２本用意していた。一方のガイガーミュラー計数管はアルミ管等に入れることによりβ線を遮断してγ線のみを測定する。また、他方のガイガーミュラー計数管でβ線とγ線とを測定する。そして、β線は、他方のガイガーミュラー計数管の放射線量から一方のガイガーミュラー計数管の放射線量を差し引くことにより求める。
【００６５】
これに対して、ガイガーミュラー計数管２１０では１本のガイガーミュラー計数管でβ線及びγ線の両方の放射線量を同時に測定することができる。そのため、複数のガイガーミュラー計数管を用意する手間を省くことができるため、測定が容易になる。また、ガイガーミュラー計数管１１０と同様に、第１放射線検出部１２５ａ及び第２放射線検出部１２５ｂにおいて不活性ガス及びクエンチガスが共通して使用されるため、二組のガイガーミュラー計数管を使用する場合よりも放射線検出の精度を上げることができる。
【００６６】
＜放射線計測計２００の構成＞
図９（ｂ）は、放射線計測計２００の概略構成図である。放射線計測計２００では、図８に示される放射線計測計１００において、ガイガーミュラー計数管１１０の代わりにガイガーミュラー計数管２１０が用いられ、遮蔽部２１６の位置を判断するための位置判断部２３５が設けられている。図９（ｂ）に示されている状態では、遮蔽部２１６で遮蔽される第１放射線検出部１２５ａに接続される第１カウンター１３１ａではγ線のみの放射線量が検出される。また、第２放射線検出部１２５ｂに接続される第２カウンター１３１ｂではγ線及びβ線の放射線量が検出される。そのため、放射線計測計２００では、第１放射線検出部１２５ａの放射線量によりγ線の放射線量を検出することができ、第２放射線検出部１２５ｂの放射線量から第１放射線検出部１２５ａの放射線量を引くことによりβ線の放射線量を検出することができる。これらの計算は算出部１３２で行われ、さらに結果を表示部１３４に表示することができる。
【００６７】
また、放射線計測計２００では、遮蔽部２１６を第１放射線検出部１２５ａから自由に取り外し及び装着できるように形成されている。例えば、遮蔽部２１６を図９（ｂ）の状態から−Ｚ軸方向に移動させて第１放射線検出部１２５ａを露出することにより、第１放射線検出部１２５ａ及び第２放射線検出部１２５ｂを同じ条件で測定を行うことができる。この状態で測定を行うことにより、第１放射線検出部１２５ａと第２放射線検出部１２５ｂとの間の放射線量検出値を校正すること等ができる。
【００６８】
さらに、遮蔽部２１６には、例えば、ガイガーミュラー計数管２１０に装着されているか取り外されているかを検知するためのセンサー（不図示）が取り付けられることにより、遮蔽部２１６の脱着を自動的に判断させても良い。センサーは、遮蔽部２１６の位置を判断する位置判断部２３５に接続され、位置判断部２３５は算出部１３２に接続されている。算出部１３２では、位置判断部２３５がガイガーミュラー計数管２１０に遮蔽部２１６が装着されていると判断した場合には、第１放射線検出部１２５ａからγ線を検出し、第２放射線検出部１２５ｂから第１放射線検出部１２５ａの放射線量を差し引くことによりβ線を自動的に検出する。また、位置判断部２３５がガイガーミュラー計数管２１０に遮蔽部２１６が装着されていると判断した場合には、第１放射線検出部１２５ａ及び第２放射線検出部１２５ｂの放射線量を表示部１３４に表示させる。表示部１３４への表示は、第１放射線検出部１２５ａ及び第２放射線検出部１２５ｂの放射線量の加算平均を表示しても良い。
【００６９】
（第５実施形態）
ガイガーミュラー計数管では、陰極導体又は陽極導体のどちらか一方のみが二組形成されていても良い。以下に、陰極導体又は陽極導体のどちらか一方のみが二組形成されたガイガーミュラー計数管について説明する。また、以下の説明では、第３実施形態及び第４実施形態と同じ部分に関しては第３実施形態及び第４実施形態と同じ符号を付してその説明を省略する。
【００７０】
＜ガイガーミュラー計数管３１０の構成＞
図１０（ａ）は、ガイガーミュラー計数管３１０の断面図である。ガイガーミュラー計数管３１０は、封入管１１１と、陽極導体３１２と、陰極導体３１３と、により形成されている。
【００７１】
陽極導体３１２は、空間１１４に配置される陽極電極３２４と、陽極電極３２４に接続され封入管１１１の−Ｚ軸側の端部で支持される線状の第１金属リード部１２３ａと、により構成されている。陽極電極３２４は、−Ｚ軸側の端が第１金属リード部１２３ａに接続されており、＋Ｚ軸側の端は空間１１４の＋Ｚ軸側の端部付近にまでＺ軸方向に伸びている。
【００７２】
陰極導体３１３は、空間１１４の−Ｚ軸側に配置される第１陰極導体３１３ａと、空間１１４の＋Ｚ軸側に配置される第２陰極導体３１３ｂと、により構成されている。第１陰極導体３１３ａは、陰極電極１２１ａ及び第２金属リード部１２２ａにより構成されており、第２金属リード部１２２ａが陰極電極１２１ａの外側表面に接合されている。第２陰極導体３１３ｂは、陰極電極１２１ｂ及び第２金属リード部３２２ｂにより構成されており、第２金属リード部３２２ｂが陰極電極１２１ｂの外側表面に接合されている。また、第２金属リード部３２２ｂは封入管１１１の＋Ｚ軸側の端部の中央で支持されている。
【００７３】
ガイガーミュラー計数管３１０では、陰極電極１２１ａと陽極電極３２４とにより第１放射線検出部３２５ａが形成され、陰極電極１２１ｂと陽極電極３２４とにより第２放射線検出部３２５ｂが形成される。第１放射線検出部３２５ａは放射線を検出する空間３１５ａを有しており、第２放射線検出部３２５ｂは放射線を検出する空間３１５ｂを有している。
【００７４】
陽極電極３２４では、第１放射線検出部３２５ａ及び第２放射線検出部３２５ｂにおいて発生する電離した電子を検出する。そのため、陽極電極３２４で検出されるパルス信号を測定することにより、第１放射線検出部３２５ａ及び第２放射線検出部３２５ｂに於いて検出されるβ線及びγ線の合計放射線量を測定することができる。
【００７５】
各放射線検出部では、電離されたイオンが陰極電極１２１において電子を受け取ることにより陰極電極１２１にパルス電流が流れる。このパルス電流を測定することにより放射線量を測定することができる。陰極電極１２１ａ及び陰極電極１２１ｂにおいては、それぞれ第１放射線検出部３２５ａ及び第２放射線検出部３２５ｂにおけるβ線及びγ線の合計放射線量が測定される。
【００７６】
ガイガーミュラー計数管３１０では、陽極電極３２４により第１放射線検出部３２５ａ及び第２放射線検出部３２５ｂの全体の放射線量を測定すると共に、各陰極電極により第１放射線検出部３２５ａ及び第２放射線検出部３２５ｂの放射線量を個別に測定することができる。また、ガイガーミュラー計数管３１０では、このような個別測定を行うことができるにもかかわらず、陽極電極３２４が一つであるため組み立てが容易である。
【００７７】
また、陰極導体３１３では、第２金属リード部１２２ａ及び第２金属リード部３２２ｂが陰極電極１２１ａ及び陰極電極１２１ｂの外側表面に接合されているため、放射線を検出する空間３１５ａ及び空間３１５ｂにおいて陽極電極と陰極電極との間隔がどの位置でも一定となる。これにより、空間３１５ａ及び空間３１５ｂにおける放電条件のムラがなくなり、より正確な測定を行うことができる。なお、このような陰極電極の外側表面に金属リード部が接合される構成は、前述のガイガーミュラー計数管１１０及び後述のガイガーミュラー計数管４１０等において採用されても良い。
【００７８】
＜ガイガーミュラー計数管３１０ａの構成＞
図１０（ｂ）は、ガイガーミュラー計数管３１０ａの概略断面図である。ガイガーミュラー計数管３１０ａは、ガイガーミュラー計数管３１０及びガイガーミュラー計数管３１０の第１放射線検出部３２５ａを覆う遮蔽部２１６により構成されている。
【００７９】
第１放射線検出部３２５ａでは、γ線のみが検出される。そのため、陰極電極１２１ａにおいて観測されるパルス信号を測定することによりγ線の放射線量を検出することができる。また、陰極電極１２１ｂにより検出される放射線量から陰極電極１２１ａにおいて検出される放射線量を差し引くことによりβ線の放射線量を測定することができる。
【００８０】
また、ガイガーミュラー計数管３１０ａを用いて、図９（ｂ）に示される放射線計測計２００と同様に、遮蔽部２１６の脱着を自由に行うことができる放射線計測計を形成することができる。
【００８１】
＜ガイガーミュラー計数管４１０の構成＞
図１１（ａ）は、ガイガーミュラー計数管４１０の断面図である。ガイガーミュラー計数管４１０は、封入管１１１と、陽極導体１１２と、陰極導体４１３と、により形成されている。
【００８２】
陰極導体４１３は、陰極電極４２１と、封入管１１１の−Ｚ軸側の端部を貫通し陰極電極４２１を保持する第２金属リード部１２２ａと、により構成されている。陰極電極４２１は、空間１１４にＺ軸方向に伸びるように配置されている。陰極電極４２１は、空間１１４の−Ｚ軸側の端部付近から＋Ｚ軸側の端部付近にまで伸びている。また、陰極電極４２１には、例えば図１（ｂ）に示されるようなスリット８５２が形成されている。
【００８３】
陽極導体１１２は、図７（ａ）に示されるガイガーミュラー計数管１１０と同様に、第１陽極導体１１２ａと第２陽極導体１１２ｂとにより構成されている。第１陽極導体１１２ａの陽極電極１２４ａ及び第２陽極導体１１２ｂの陽極電極１２４ｂは、共に陰極電極４２１の中心軸上に配置される。
【００８４】
ガイガーミュラー計数管４１０では、ＸＹ平面において陰極電極４２１と陽極電極１２４ａとが重なる部分を第１放射線検出部４２５ａ、ＸＹ平面において陰極電極４２１と陽極電極１２４ｂとが重なる部分を第２放射線検出部４２５ｂとする。また、第１放射線検出部４２５ａの放射線を検出する空間を空間４１５ａ、第２放射線検出部４２５ａの放射線を検出する空間を空間４１５ｂとする。
【００８５】
ガイガーミュラー計数管４１０では、陰極電極４２１により第１放射線検出部４２５ａ及び第２放射線検出部４２５ｂの合計放射線量が検出される。また、陽極電極１２４ａにより第１放射線検出部４２５ａのβ線及びγ線の合計放射線量を検出することができ、陽極電極１２４ｂにより第２放射線検出部４２５ｂのβ線及びγ線の合計放射線量を検出することができる。また、ガイガーミュラー計数管４１０では、このような複数の放射線量測定を同時に行うことができるにもかかわらず、陰極電極４２１が一つであるため組み立てが容易である。
【００８６】
＜ガイガーミュラー計数管４１０ａの構成＞
図１１（ｂ）は、ガイガーミュラー計数管４１０ａの概略断面図である。ガイガーミュラー計数管４１０ａは、ガイガーミュラー計数管４１０及びガイガーミュラー計数管４１０の第１放射線検出部４２５ａを覆う遮蔽部２１６により構成されている。
【００８７】
第１放射線検出部４２５ａでは、γ線のみが検出される。そのため、陽極電極１２４ａにおいて観測されるパルス信号を測定することによりγ線の放射線量を検出することができる。また、陽極電極１２４ｂにより検出される放射線量から陽極電極１２４ａにおいて検出される放射線量を差し引くことによりβ線の放射線量を測定することができる。
【００８８】
また、ガイガーミュラー計数管４１０ａを用いて、図９（ｂ）に示される放射線計測計２００と同様に、遮蔽部２１６の脱着を自由に行うことができる放射線計測計を形成することができる。
【００８９】
（第６実施形態）
放射線計測計１００では、第１放射線検出部１２５ａ及び第２放射線検出部１２５ｂがそれぞれ第１高電圧回路部１３０ａ及び第２高電圧回路部１３０ｂに接続されていたが、第１放射線検出部１２５ａ及び第２放射線検出部１２５ｂは共に１つの高電圧回路部に接続されても良い。以下に、複数の放射線計測部を有すると共に１つの高電圧回路部を有する放射線計測計について説明する。また、以下の説明では、第３実施形態から第５実施形態と同じ部分に関しては第３実施形態から第５実施形態と同じ符号を付してその説明を省略する。
【００９０】
＜放射線計測計５００の構成＞
図１２は、放射線計測計５００の概略構成図である。放射線計測計５００は、ガイガーミュラー計数管１１０と、高電圧回路部５３０と、カウンター５３１と、算出部１３２と、表示部１３４と、電源１３３と、を含んで構成されている。高電圧回路部５３０は第１高電圧回路部１３０ａ及び第２高電圧回路部１３０ｂと同様の性能を有しており、カウンター５３１は第１カウンター１３１ａ及び第２カウンター１３１ｂと同様の性能を有している。
【００９１】
ガイガーミュラー計数管１１０の第１陽極導体１１２ａ及び第２陽極導体１１２ｂは互いに接続されて高電圧回路部５３０に接続される。また、第１陰極導体１１３ａ及び第２陰極導体１１３ｂは互いに接続されて高電圧回路部５３０に接続される。すなわち、第１放射線検出部１２５ａ及び第２放射線検出部１２５ｂは高電圧回路部５３０に対して並列に接続される。
【００９２】
高電圧回路部５３０にはカウンター５３１が接続され、第１放射線検出部１２５ａ及び第２放射線検出部１２５ｂで検出されるパルス信号がカウントされる。すなわち、カウンター５３１では、第１放射線検出部１２５ａ及び第２放射線検出部１２５ｂで検出される合計のパルス信号が検出される。カウンター５３１には算出部１３２が接続され、算出部１３２には電源１３３及び表示部１３４が接続される。
【００９３】
図１３は、放射線計測計の放電回数を比較したグラフである。図１３には、放射線計測計５００（図１２参照）、放射線計測計１００（図８参照）、及び放射線計測計１００ａの３つの放射線計測計の放電回数と印加電圧との関係が示されている。放射線計測計１００ａは、放射線計測計１００（図８参照）において第２放射線検出部１２５ｂの電極を開放して第１放射線検出部１２５ａのみで測定を行う放射線計測計である。図１３の縦軸は各放射線計測計のガイガーミュラー計数管全体の放電回数が示されている。放電回数は１０秒当たりの放電回数として示されている。また、図１３の横軸にはガイガーミュラー計数管の陽極電極及び陰極電極間に加えられる印加電圧の大きさが示されている。印加電圧は直流電圧であり、単位がボルト（Ｖ）となっている。
【００９４】
図１３において、放射線計測計１００ａの放電回数は、印加電圧が５００Ｖから５３０Ｖの間で増加し、印加電圧が５３０Ｖより大きくなると安定する。放射線計測計１００の放電回数は、印加電圧が５００Ｖから５４０Ｖの間で増加し、印加電圧が５３０Ｖより大きくなると安定する。放射線計測計５００では、印加電圧が４８０Ｖから５１０Ｖの間で放電回数が増加する。また、印加電圧が５１０Ｖから５８０Ｖの間では放電回数がなだらかに増加し、印加電圧が５８０Ｖより大きくなると放電回数が大きく増加する。
【００９５】
各放射線計測計の比較のために印加電圧が５５０Ｖである場合の放電回数を比べると、放射線計測計１００ａは２．４回／１０秒であり、放射線計測計１００は４．７回／１０秒であり、放射線計測計５００は８．７回／１０秒である。このとき、放射線計測計１００は放射線計測計１００ａに対して約２倍のパルス信号を検出している。また、放射線計測計５００は放射線計測計１００に対して約１．９倍、放射線計測計１００に対して約３．６倍のパルス信号を検出している。すなわち、図１３に示された３つの放射線計測計の中では、放射線計測計１００ａの放射線検出感度が最も低く、放射線計測計５００の放射線検出感度が最も高い。
【００９６】
放射線計測計１００と放射線計測計５００との主な違いは、高電圧回路部及びカウンターの使用個数である。そのため、図１３に示されるような放射線計測計１００と放射線計測計５００との放射線検出感度の違いは、高電圧回路部及びカウンターの使用個数に起因すると考えられる。さらに、カウンターはパルス信号をカウントするのみなので、高電圧回路部の使用個数が放射線検出感度の違いに大きく影響していると考えられる。
【００９７】
図１３の放射線計測計５００に示されるように、１つの高電圧回路部を使用することにより複数の高電圧回路部を用いる場合よりも放射線検出感度を上げることが出来る。また放射線計測計５００では、高電圧回路部及びカウンターの使用が１つのみであるので、放射線計測計の構成部品が少なくなって製造原価が低くなるため好ましい。
【００９８】
＜放射線計測計６００の構成＞
図１４は、放射線計測計６００の概略構成図である。放射線計測計６００は、ガイガーミュラー計数管６１０と、高電圧回路部５３０と、カウンター５３１と、算出部１３２と、表示部１３４と、電源１３３と、を含んで構成されている。
【００９９】
ガイガーミュラー計数管６１０は、封入管６１１と、陽極導体６１２と、陰極導体６１３と、により形成されている。封入管６１１は筒形のガラス管が、＋Ｚ軸方向、−Ｚ軸方向、及び＋Ｙ軸方向にそれぞれ伸びるように形成されている。封入管６１１の内部の空間６１４は密封されている。
【０１００】
陽極導体６１２は、第１陽極導体１１２ａ、第２陽極導体１１２ｂ、及び第３陽極導体６１２ｃにより構成されている。第３陽極導体６１２ｃは、陽極電極（不図示）及び第１金属リード部（不図示）により構成され、封入管６１１の＋Ｙ軸方向に伸びた空間内に配置される。第３陽極導体６１２ｃは、第１陽極導体１１２ａ及び第２陽極導体１１２ｂと同じ形状に形成され、第１陽極導体１１２ａ及び第２陽極導体１１２ｂとは封入管６１１内での配置位置のみが異なっている。第３陽極導体６１２ｃは、封入管６１１の＋Ｙ軸側の端部で支持されることにより封入管６１１に固定されている。
【０１０１】
陰極導体６１３は、第１陰極導体１１３ａ、第２陰極導体１１３ｂ、及び第３陰極導体６１３ｃにより構成されている。第３陰極導体６１３ｃは、陰極電極６２１ｃ及び第２金属リード部６２２ｃにより構成され、封入管６１１の＋Ｙ軸方向に伸びる空間内に配置される。第３陰極導体６１３ｃは、第１陰極導体１１３ａ及び第２陰極導体１１３ｂと同じ形状であり、第１陰極導体１１３ａ及び第２陰極導体１１３ｂとは封入管６１１内での配置位置のみが異なっている。第３陰極導体６１３ｃは、第２金属リード部６２２ｃが封入管６１１の＋Ｙ軸側の端部で支持されることにより封入管６１１に固定されている。
【０１０２】
ガイガーミュラー計数管６１０は、第１放射線検出部１２５ａ及び第２放射線検出部１２５ｂを備えると共に、第３陽極導体６１２ｃ及び第３陰極導体６１３ｃにより形成される第３放射線検出部６２５ｃを備える。第３放射線検出部６２５ｃは、第１放射線検出部１２５ａ及び第２放射線検出部１２５ｂと同様の形状に形成される放射線検出部であり、第１放射線検出部１２５ａ及び第２放射線検出部１２５ｂとは封入管６１１内での配置位置のみが異なっている。
【０１０３】
放射線計測計６００では、ガイガーミュラー計数管６１０の第１陰極導体１１３ａ、第２陰極導体１１３ｂ、及び第３陰極導体６１３ｃが互いに電気的に接続されて高電圧回路部５３０に接続される。また、第１陽極導体１１２ａ、第２陽極導体１１２ｂ、及び第３陽極導体６１２ｃが互いに電気的に接続されて高電圧回路部５３０に接続される。すなわち、第１放射線検出部１２５ａ、第２放射線検出部１２５ｂ、及び第３放射線検出部６２５ｃは高電圧回路部５３０に対して並列に接続される。
【０１０４】
高電圧回路部５３０にはカウンター５３１が接続され、第１放射線検出部１２５ａ、第２放射線検出部１２５ｂ、及び第３放射線検出部６２５ｃで検出されるパルス信号がカウントされる。すなわち、カウンター５３１では、第１放射線検出部１２５ａ、第２放射線検出部１２５ｂ、及び第３放射線検出部６２５ｃで検出される合計のパルス信号をカウントする。カウンター５３１には算出部１３２が接続され、算出部１３２には電源１３２及び表示部１３４が接続される。
【０１０５】
放射線計測計６００では、図１４に示されるように、封入管６１１を外側から取り囲むようにβ線を遮蔽する遮蔽部６１６を装着させることでβ線及びγ線の両方を測定することができる。この測定は、例えば、遮蔽部６１６を装着せずに測定を行うことでβ線及びγ線の合計値を測定し、さらに遮蔽部６１６を装着して測定を行うことでγ線の値を測定し、更にβ線及びγ線の合計値からγ線の値を引いてβ線の値を計算することにより行うことが出来る。
【０１０６】
放射線計測計６００では、３つの放射線検出部を有することにより、放射線計測計５００よりも放射線検出の感度が高くなる。また、遮蔽部６１６を用いることにより、β線及びγ線の各値を測定することが出来る。放射線計測計６００では、同時にβ線及びγ線を測定しなくても、放射線計測計自体の放射線の検出感度が高いため、高い放射線の検出感度でβ線を測定することが出来る。
【０１０７】
＜放射線計測計７００の構成＞
図１５は、放射線計測計７００の概略構成図である。放射線計測計７００は、ガイガーミュラー計数管７１０と、高電圧回路部５３０と、カウンター５３１と、算出部１３２と、表示部１３４と、電源１３３と、を含んで構成されている。
【０１０８】
ガイガーミュラー計数管７１０は、封入管７１１と、陽極導体７１２と、陰極導体７１３と、により形成されている。封入管７１１は筒形のガラス管が、＋Ｚ軸方向、−Ｚ軸方向、＋Ｙ軸方向、及び＋Ｘ軸方向にそれぞれ伸びるように形成されている。封入管７１１の内部の空間７１４は密封されている。
【０１０９】
陽極導体７１２は、第１陽極導体１１２ａ、第２陽極導体１１２ｂ、第３陽極導体６１２ｃ、及び第４陽極導体７１２ｄにより構成されている。第４陽極導体７１２ｄは、陽極電極（不図示）及び第１金属リード部（不図示）により構成され、封入管７１１の＋Ｘ軸方向に伸びる空間内に配置される。第４陽極導体７１２ｄは、第１陽極導体１１２ａ及び第２陽極導体１１２ｂと同じ形状であり、第１陽極導体１１２ａ及び第２陽極導体１１２ｂとは封入管７１１内での配置位置のみが異なっている。第４陽極導体７１２ｄは、封入管７１１の＋Ｘ軸側の端部で支持されることにより封入管７１１に固定されている。
【０１１０】
陰極導体７１３は、第１陰極導体１１３ａ、第２陰極導体１１３ｂ、第３陰極導体６１３ｃ、及び第４陰極導体７１３ｄにより構成されている。第４陰極導体７１３ｄは、陰極電極７２１ｄ及び第２金属リード部７２２ｄにより構成され、封入管７１１の＋Ｘ軸方向に伸びる空間内に配置される。第４陰極導体７１３ｄは、第１陰極導体１１３ａ及び第２陰極導体１１３ｂと同じ形状であり、第１陰極導体１１３ａ及び第２陰極導体１１３ｂとは封入管７１１内での配置位置のみが異なっている。第４陰極導体７１３ｄは、第２金属リード部７２２ｄが封入管７１１の＋Ｘ軸側の端部で支持されることにより封入管７１１に固定されている。
【０１１１】
ガイガーミュラー計数管７１０は、第１放射線検出部１２５ａ、第２放射線検出部１２５ｂ、及び第３放射線検出部６２５ｃを備えると共に、第４陽極導体７１２ｄ及び第４陰極導体７１３ｄにより形成される第４放射線検出部７２５ｄを備える。第４放射線検出部７２５ｄは、第１放射線検出部１２５ａ及び第２放射線検出部１２５ｂと同様の形状に形成される放射線検出部であり、第１放射線検出部１２５ａ及び第２放射線検出部１２５ｂとは封入管７１１内での配置位置のみが異なっている。
【０１１２】
放射線計測計７００では、４つの放射線検出部を有することにより、放射線計測計５００及び６００よりも放射線検出の感度が高くなる。また、放射線計測計６００と同様に、遮蔽部（不図示）を用いてガイガーミュラー計数管７１０を覆うことにより、β線及びγ線の各値を測定することが出来る。
【０１１３】
以上、本発明の最適な実施形態について詳細に説明したが、当業者に明らかなように、本発明はその技術的範囲内において実施形態に様々な変更・変形を加えて実施することができる。また、各実施形態の特徴を様々に組み合わせて実施することができる。
【符号の説明】
【０１１４】
２０、１００、２００、５００、６００、７００  …  放射線計測計
１０、３０、４０、５０、６０、１１０、２１０、３１０、３１０ａ、４１０、４１０ａ、６１０、７１０、８１０  …  ガイガーミュラー計数管
１１、１１１、６１１、７１１  …  封入管
１２、１１２、３１２、６１２、７１２  …  陽極導体
１１２ａ  …  第１陽極導体
１１２ｂ  …  第２陽極導体
１３、３３、４３、５３、６３、１１３、３１３、４１３、６１３、７１３  …  陰極導体
１１３ａ  …  第１陰極導体
１１３ｂ、３１３ｂ  …  第２陰極導体
１４、１１４  …  封入管の内部の空間
１５ａ、３５ａ、４５ａ、５５ａ、６５ａ、１１５、１１５ａ、１１５ｂ、３１５ａ、３１５ｂ、４１５ａ、４１５ｂ  …  放射線を検出する空間
１３ａ、３３ａ、４３ａ、５３ａ、６３ａ、１２１、１２１ａ、１２１ｂ、４２１、６２１ｃ、７２１ｄ、８２１  …  陰極電極
４３ｂ  …  金属枠
４３ｃ  …  金属棒
１３ｂ、１２２、１２２ａ、１２２ｂ、３２２ｂ、６２２ｃ、７２２ｄ  …  第２金属リード部
１２ｂ、１２３、１２３ａ、１２３ｂ  …  第１金属リード部
１２ａ、１２４、１２４ａ、１２４ｂ、３２４  …  陽極電極
１５、３５、４５、５５、６５、１２５  …  放射線検出部
１２５ａ、３２５ａ、４２５ａ  …  第１放射線検出部
１２５ｂ、３２５ｂ、４２５ｂ  …  第２放射線検出部
１３０ａ  …  第１高電圧回路部
１３０ｂ  …  第２高電圧回路部
１３１ａ  …  第１カウンター
１３１ｂ  …  第２カウンター
２３、１３２  …  算出部
２５、１３３  …  電源
２４、１３４  …  表示部
１４０  …  基板
２１６、６１６  …  遮蔽部
２３５  …  位置判断部
２１、５３０  …  高電圧回路部
２２、５３１  …  カウンター
６１２ｃ  …  第３陽極導体
６１３ｃ  …  第３陰極導体
６２５ｃ  …  第３放射線検出部
７１２ｄ  …  第４陽極導体
７１３ｄ  …  第４陰極導体
８５２  …  スリット（貫通孔）
８５３、８５４、８５５、８５６  …  貫通孔
【図１】
2015194453.tif 000003
【図２】
2015194453.tif 000004
【図３】
2015194453.tif 000005
【図４】
2015194453.tif 000006
【図５】
2015194453.tif 000007
【図６】
2015194453.tif 000008
【図７】
2015194453.tif 000009
【図８】
2015194453.tif 000010
【図９】
2015194453.tif 000011
【図１０】
2015194453.tif 000012
【図１１】
2015194453.tif 000013
【図１２】
2015194453.tif 000014
【図１３】
2015194453.tif 000015
【図１４】
2015194453.tif 000016
【図１５】
2015194453.tif 000017